(57)【特許請求の範囲】
【請求項１】
被験者をパッド上面に寝かせてその上面よりＸ線源からのＸ線照射によりＸ線写真撮影台装置に使用されるＸ線写真撮影台用フィルムカセットトレイであって、該トレイ上に配置可能なＸ線写真撮影用フィルムカセットの位置ずれ防止部材と、前記トレイ下面に装着された移動用滑り部材と、前記トレイの少なくとも一部周面に付加されたアームとからなり、Ｘ線写真撮影時に撮影部位に前記フィルムカセットの写真撮影面を前記アームにより位置調整可能としたＸ線写真撮影台用フィルムカセットトレイ。
【請求項２】
前記アームが前記トレイの対向する両サイドに付加された請求項１記載のＸ線写真撮影台用フィルムカセットトレイ。
【請求項３】
被験者をパッド上面に寝かせてその上面よりＸ線源からのＸ線照射によりＸ線写真撮影台装置に使用されるＸ線写真撮影台用フィルムカセットトレイであって、該トレイ上に配置可能なＸ線写真撮影用フィルムカセットの位置ずれ防止部材と、前記トレイ下面に装着された移動用滑り部材と、前記トレイの少なくとも一部周面に引っかける位置調整可能とした移動用アームと、該移動用アームによりＸ線写真撮影時に撮影部位に前記フィルムカセットの写真撮影面を位置調整可能とさせたＸ線写真撮影台用フィルムカセットトレイ。
【請求項４】
被験者をパッド上面に寝かせてその上面よりＸ線源からのＸ線照射によりＸ線写真撮影を行う装置であって、少なくとも被験者体重でほぼ水平度を維持できる実質的に透明である透明板素材と、該透明板素材に対して離間させた板素材からなる台座と、前記透明板素材と前記台座の周辺部分にスペーサを介して離間空間を持たせたＸ線写真撮影台と、該Ｘ線写真撮影台の前記台座上を移動可能なＸ線写真撮影台用フィルムカセットトレイとからなり、該トレイはカセットトレイ上に配置可能なＸ線写真撮影用フィルムカセットの位置ずれ防止部材と、前記トレイ下面に装着された移動用滑り部材と、前記トレイの少なくとも一部周面に付加されたアームとからなり、Ｘ線写真撮影時に撮影部位に前記フィルムカセットの写真撮影面を前記アームにより位置調整可能としたＸ線写真撮影台用フィルムカセットトレイを配置させ、前記パッド上面よりＸ線照射によりＸ線写真撮影を行うＸ線写真撮影台装置。
【請求項５】
前記透明板素材が透明アクリル樹脂又は透明カーボンであるＸ線写真撮影台を備えた請求項４記載のＸ線写真撮影台装置。
【請求項６】
前記Ｘ線写真撮影台の離間空間の距離が５０〜１００ｍｍの範囲であるＸ線写真撮影台を備えた請求項４又は５記載のＸ線写真撮影台装置。
【請求項７】
被験者をパッド上面に寝かせてその上面よりＸ線源からのＸ線照射によりＸ線写真撮影を行う装置であって、少なくとも被験者体重でほぼ水平度を維持できる実質的に透明である透明板素材と、該透明板素材に対して離間させた板素材からなる台座と、前記透明板素材と前記台座の周辺部分にスペーサを介して前記両板素材間に離間空間を持たせたＸ線写真撮影台と、該Ｘ線写真撮影台の台座上を移動可能なＸ線写真撮影台用フィルムカセットトレイと、該トレイ上に配置可能なＸ線写真撮影用フィルムカセットの位置ずれ防止部材と、前記トレイ下面に装着された移動用滑り部材と、前記トレイの少なくとも一部周面に付加されたアームとからなり、Ｘ線写真撮影時に撮影部位に前記フィルムカセットの写真撮影面を前記アームにより位置調整可能としたＸ線写真撮影台用フィルムカセットトレイを備えた前記パッド上面よりＸ線照射によりＸ線写真撮影を行うＸ線写真撮影台装置。
【請求項８】
前記アームが前記トレイの対向する両サイドに付加された請求項７記載のＸ線写真撮影台装置。
【発明の詳細な説明】
【０００１】
【発明の属する技術分野】
本発明は、寝たきり患者、手術後の体力消耗患者等の被験者のＸ線写真撮影に好適なＸ線写真撮影用フィルムカセットトレイ及びそれを備えたＸ線写真撮影台装置に関する。特に透明パッド上の被験者に、移動の負担を強いることなく体を動かさずに寝かせたまま、かつ、撮影時に苦痛を与えないでＸ線写真撮影を視認状態で容易に正確な位置にフイルムをセットできるＸ線写真撮影用フィルムカセットトレイに特徴を持たせたＸ線写真撮影用フィルムカセットトレイ及びそれを備えたＸ線写真撮影台装置に関する。
【０００２】
【従来の技術】
従来、入院患者、手術後患者、救急患者等の被験者のポータブルＸ線撮影は、撮影をする患者の頭部、胸部、腹部、腰部等の部位を持ち上げ、背中に内蔵カセットを差し込みＸ線写真撮影を行っており、被験者の苦痛に対しほとんど配慮されていなかった。
Ｘ線を用いることにより、身体を透過した映像として内部を観察することができることが知られている。この原理は被写体の厚さや各部の比重の差によってＸ線の吸収の度合がちがうため、撮影されたＸ線写真には被写体の内部構造に応じて濃淡の差として観察できるものである。具体的には、Ｘ線写真を影画として観察し、骨、空気等は周囲の筋肉と区別した像を写真上に表現することによる。
【０００３】
また、間接撮影は、被写体を通過したＸ線を蛍光板に受けることにより像を蛍光板上で見ることができ、この像をカメラで撮影するものである。直接撮影はこれに対し被写体を通過したＸ線を直接、被写体と同程度のサイズのフィルム上に撮影する方法である。
【０００４】
このほか、Ｘ線を連続的に放射して撮影するＸ線動画ないし映画撮影法では、心臓・冠状動脈などの動きの速い被検体の動態を記録するもので、明るい蛍光可視像を映写機（６０〜９０フレーム／ｓ程度）でシネフィルムに撮影する方法もある。シネパルス方式では、１０ｍｓ以内の極短時間のパルス状Ｘ線曝射によって、循環器系検査を行う行うものである。空洞の位置、形を検査し手術方針の決定のためには断層撮影が使用され、直接撮影などに比べ、Ｘ線フィルムを被写体に接して被写体の影をフィルム上に受けるので、写真の影の大きさは被写体とほぼ同じ大きさである。
【０００５】
拡大撮影は撮影時フィルムを被写体から５〜１０ｃｍ程度離した撮影で、離間距離に応じて被写体が拡大されてフィルムに撮影される。像は拡大される結果、像の輪郭は間隔の距離に応じたぼけが発生する欠点がある。この像の輪郭のぼけは、Ｘ線源が大きさに比例し、大きいほど大きくなるため、Ｘ線源すなわちＸ線管焦点の特に小さいＸ線管を用いることが必要である。
【０００６】
Ｘ線写真撮影に使用されるＸ線透視撮影台はＸ線診断のために、人体の位置づけができ、医用Ｘ線映像装置を装備または装着して、Ｘ線透視およびＸ線撮影を行う。ブッキー撮影台は受像部にブッキー装置を用いるＸ線撮影台で、水平式・傾斜式・起倒式・立位式があり、さらに天板の移動式と固定式、昇降可能式などが検査目的に応じて製作されている。天板はＸ線吸収が少なく均一な材質のものを使用する。
【０００７】
これに使用されるブッキーブレンデはＢｕｃｋｙによって考案されたＸ線撮影時の散乱線除去装置である。グリッド（グリッド比は一定）を等速移動させ散乱線を除去し、格子縞を画像から消すもので、平面、凹面、回転、らせんなどの形がある。オイルダンパーを利用する片道等速移動、バネやモータによる往復移動（レシプロ）に分けられる。
【０００８】
ここで、グリッドについて説明する。ブッキー格子、ブッキー・ポッターグリッドはＸ線フィルムに達する二次性放射線ないし散乱Ｘ線除去用格子、隔膜である。Ｘ線受像面に入射する散乱Ｘ線量を減少させることにより、Ｘ線像のコントラストを改善する目的で使用される。Ｘ線吸収率の大きい鉛箔等の金属箔とＸ線吸収率の小さい中間物質、例えば、アルミニウムとを交互に並べた構造で、これに、スペーサーとしてアルミニウム、合成樹脂、木、紙などを使用している。性能はグリッド密度、グリッド比、集束距離、距離限界、選択度、コントラスト改善度、露出倍数などで表される。
【０００９】
このなかでグリッド比は散乱Ｘ線除去用グリッドの鉛箔の厚さｄ、前記中間物質の厚さＤ、高さｈとしたときグリッド比はｒ＝ｈ／Ｄで表され、グリッド性能を示すもので、通常は４〜１４の範囲のものが使用されている。また、クロスグリッドは散乱線除去効率を高めるため２枚直線グリッドを箔の方向がある角度をなすように一体に形成されたものである。箔の方向が互いに９０度の角度をなす直交グリッドと、９０度以外の角度をなす斜交グリッドが使用されている。
【００１０】
このような、ブッキー撮影台は、水平式にあっては、寝たきり患者、手術後の患者等の被験者の病状、経過を検査するのに好適であり、被験者をベッド上に載せたままでＸ線写真撮影をＸ線源を天板にして移動式又は固定式、昇降可能式等にして、Ｘ線フィルムを入れたフィルムカセットをベッドの下に置くことで実施できる。検査目的に応じて構成、形態を変更して用いられてきた。ここで使用されるカセットは一般にカセッテ（カセットの文言で統一して使用する）とも呼ばれ、前後に増感紙を入れその間にＸ線フィルムを挟んだ形態で使用される、いわゆる遮光箱である。
【００１１】
用途としては、上記の他、乳幼児の先天性股関節脱臼の整復の肢位．この状態で大腿骨頭と寛骨臼の位置関係をみて整復の状態を観察するような股関節撮影、腰椎椎間板撮影等に使用されてきた。
他に、フットボールサインの症状に見られる、可急性腹症検査の腹部単純Ｘ線写真で、仰臥位の場合に腹部中央にフットボールの形をした像が描出されるような、穿孔による遊離腹膜ガスの存在とみられる用途にも使用されている。
【００１２】
しかしながら、これまでのブッキー撮影台では、診療放射線技師により患者の背中側等患部にフィルム内蔵カセットを差し入れ撮影していた。このため患者を持ち上げる作業をしつつ何点かの撮影箇所につきＸ線撮影をしていた。患者の体重次第では看護婦の応援を求め撮影を実施している状況であった。これは撮影台の構造自体に起因した課題である。このため撮影時の診療放射線技師等は相当の負担を強いられていた。又、患者側から観察するとＸ線撮影時に身体を左右に回転されたり、或いは手術部分の撮影に都合の良いような体位を要求されていた。
【００１３】
より具体的には手術後患者はＸ線撮影のため撮影台に移される。手術の結果確認のため、患者への手術部分にはこの撮影台上でＸ線撮影が行われる。術後まだ充分体力の回復がしていないとか、また、手術部分の切開、縫合の苦痛等が癒えていない段階でのＸ線撮影となっていた。このため、患者の苦痛の増加や、場合によっては、術後の病変、患部、術部の悪化といった重大な事故が完全に回避しえないといった課題があった。
【００１４】
このように、患者本位ではない構造のブッキー撮影台であるため、構造に起因したＸ線写真撮影の実施により患者への極めて負担の高い結果とともに、ひいては診療放射線技師等への撮影負担も高いといった課題があり、Ｘ線写真撮影自体の写真の出来具合や精度面等でも必ずしも完全な結果を得られていないといった課題もあった。
【００１５】
【発明が解決しようとする課題】
本発明は、上記課題を解決し、これまでのブッキー撮影台の改良と撮影手段の改善により、患者本位のＸ線撮影が可能となった。撮影上の都合からの開放は診療放射線技師の負担の軽減となり、診療放射線技師等による撮影時に患者への過度の負担を解消できるとの課題解決を目的としている。
【００１６】
手術後の被験者はＸ線撮影のため視認可能な半透明マットに載ったまま本発明のＸ線写真撮影台のブッキーテーブルの透明アクリル台上に移されることとなるため、従来の患者ベッドからブッキー撮影台への移動、撮影後患者ベッドへの復帰移動といった再三の移動が不必要となった。この結果、本発明の撮影台上でＸ線撮影が行われることになった。この結果、患者の安静のまま撮影すべき部位とフィルムの位置を決めてＸ線撮影が可能となることから、術後まだ充分体力の回復が少なくとも、また、手術部分の切開、縫合の苦痛等が癒えていない段階でもＸ線撮影による従来生じていた患者の苦痛、術後の病変、術部の悪化といった重大な事故から完全に回避できることが可能となったＸ線写真撮影用フィルムカセットトレイ及びそれを備えたＸ線写真撮影台装置に関する。
【００１７】
【課題を解決するための手段】
本発明は被験者をパッド上面に寝かせてその上面よりＸ線源からのＸ線照射によりＸ線写真撮影台装置に使用されるＸ線写真撮影台用フィルムカセットトレイであって、該トレイ上に配置可能なＸ線写真撮影用フィルムカセットの位置ずれ防止部材と、前記トレイ下面に装着された移動用滑り部材と、前記トレイの少なくとも一部周面に付加されたアームとからなり、Ｘ線写真撮影時に撮影部位に前記フィルムカセットの写真撮影面を前記アームにより位置調整可能としたＸ線写真撮影台用フィルムカセットトレイにより提供される。
【００１８】
また、前記アームが前記トレイの対向する両サイドに付加された前記記載のＸ線写真撮影台用フィルムカセットトレイにより効果的に提供される。
【００１９】
さらに、被験者をパッド上面に寝かせてその上面よりＸ線源からのＸ線照射によりＸ線写真撮影台装置に使用されるＸ線写真撮影台用フィルムカセットトレイであって、該トレイ上に配置可能なＸ線写真撮影用フィルムカセットの位置ずれ防止部材と、前記トレイ下面に装着された移動用滑り部材と、前記トレイの少なくとも一部周面に引っかける位置調整可能とした移動用アームと、該移動用アームによりＸ線写真撮影時に撮影部位に前記フィルムカセットの写真撮影面を位置調整可能とさせたＸ線写真撮影台用フィルムカセットトレイにより提供される。
【００２０】
これらとは別に、被験者をパッド上面に寝かせてその上面よりＸ線源からのＸ線照射によりＸ線写真撮影を行う装置であって、少なくとも被験者体重でほぼ水平度を維持できる実質的に透明である透明板素材と、該透明板素材に対して離間させた板素材からなる台座と、前記透明板素材と前記台座の周辺部分にスペーサを介して離間空間を持たせたＸ線写真撮影台と、該Ｘ線写真撮影台の前記台座上を移動可能なＸ線写真撮影台用フィルムカセットトレイとからなり、該トレイはカセットトレイ上に配置可能なＸ線写真撮影用フィルムカセットの位置ずれ防止部材と、前記トレイ下面に装着された移動用滑り部材と、前記トレイの少なくとも一部周面に付加されたアームとからなり、Ｘ線写真撮影時に撮影部位に前記フィルムカセットの写真撮影面を前記アームにより位置調整可能としたＸ線写真撮影台用フィルムカセットトレイを配置させ、前記パッド上面よりＸ線照射によりＸ線写真撮影を行うＸ線写真撮影台装置により提供される。
【００２１】
また、前記透明板素材が透明アクリル樹脂又は透明カーボンであるＸ線写真撮影台を備えた前記記載のＸ線写真撮影台装置により提供される。
さらに、前記Ｘ線写真撮影台の離間空間の距離が５０〜１００ｍｍの範囲であるＸ線写真撮影台を備えた前記記載のＸ線写真撮影台装置により提供される。
【００２２】
さらにまた、被験者をパッド上面に寝かせてその上面よりＸ線源からのＸ線照射によりＸ線写真撮影を行う装置であって、少なくとも被験者体重でほぼ水平度を維持できる実質的に透明である透明板素材と、該透明板素材に対して離間させた板素材からなる台座と、前記透明板素材と前記台座の周辺部分にスペーサを介して前記両板素材間に離間空間を持たせたＸ線写真撮影台と、該Ｘ線写真撮影台の台座上を移動可能なＸ線写真撮影台用フィルムカセットトレイと、該トレイ上に配置可能なＸ線写真撮影用フィルムカセットの位置ずれ防止部材と、前記トレイ下面に装着された移動用滑り部材と、前記トレイの少なくとも一部周面に付加されたアームとからなり、Ｘ線写真撮影時に撮影部位に前記フィルムカセットの写真撮影面を前記アームにより位置調整可能としたＸ線写真撮影台用フィルムカセットトレイを備えた前記パッド上面よりＸ線照射によりＸ線写真撮影を行うＸ線写真撮影台装置により提供される。
また、前記アームが前記トレイの対向する両サイドに付加された前記記載のＸ線写真撮影台装置により効果的に提供される。
【００２３】
【発明の実施の形態】
以下、具体的に本発明の実施の一形態について説明する。図面を参照して説明すると、図１はＸ線写真撮影用フィルムカセットトレイ及びそれを備えたＸ線写真撮影台装置である。なお、図の左右の長さは図面作成の都合から縮小して示してある。図２はＸ線写真撮影台の一部切欠した断面を示した側面図である。図３は図２の別の実施例の側面図である。図４はＸ線写真撮影台の台座部分の上板の斜視図、図５は台座の内アルミアングル及び台座下板を組み合わせた状態を示した一部切欠の斜視図である。
【００２４】
図６はＸ線写真撮影用フィルムカセットトレイの斜視図、図７は図６の右側面から見た正面図である。図８はＸ線写真撮影用フィルムカセットトレイをＸ線写真撮影台上を移動可能な状態の説明用斜視図、図９は図８の他の変形例による移動可能な状態の説明用斜視図である。
【００２５】
図１はＸ線写真の撮影の様子を示したもので、図中で左右長さは説明のためやや縮小して示してある。病院で使用されている固定ベッド５は図の左右全長で約１９５ないし２０５ｃｍが一般に使用されているが、これより大きなサイズも適宜使用可能である。幅は９０ｃｍが一般に使用されている。従来これに被験者を固定マット６上に寝かせＸ線写真撮影を行っていた。本発明ではこの上にＸ線写真撮影台１１を載せ、さらに患者等の被験者４を透明パッド７に寝かせた状態で運び込みＸ線写真撮影台１１の上にセットする。
【００２６】
移動可能なＸ線発生装置２はＸ線制御装置として、Ｘ線を制御するために必要な補助的機能を統合する電気関係部分を備えたものが使用される。Ｘ線機械装置、Ｘ線映像装置を含み、Ｘ線透視用に使用可能な、最大管電流値、最高管電圧値等を用途により適宜選択して使用される。撮影のみの場合、撮影及び透視用による場合により同様に適当なＸ線発生装置等を選択すべきである。
【００２７】
また、Ｘ線撮影台はＸ線診断のために各種の形態のものが使用がされている。人体の位置づけができるＸ線写真撮影を行う装置として使用され、検査目的に応じて立位式ではリーダー撮影台、高圧リーダー、水平式ではブッキー撮影台が一般的である。装置分類では直接・間接・断層・特殊撮影台等に分けられる。
【００２８】
Ｘ線施設には一般にＸ線防護用鉛ガラスが使用されている。放射線施設における直接内部状況の観察を可能にするもので直接透視用、観察窓用に区分される。最小鉛当量は１．１０〜２．７５ｍｍＰｂの範囲で５種類が使用されている。また、Ｘ線撮影にあたってはＸ線防護用の前掛等が使用されるが、これは放射線障害の防止のために用いられる。
【００２９】
Ｘ線撮影や透視検査用で、Ｘ線防護能力は鉛当量で示され、０．２５、０．３５、０．５０ｍｍＰｂ等の含鉛ゴム・含鉛塩化ビニール製が使用されている。同様に、Ｘ線防護つい立も使用される。Ｘ線診察室における二次Ｘ線を遮蔽し放射線障害の防止目的で使用される。放射線防護能力は鉛当量で示され、０・３５ｍｍＰｂ以上とされ、ゴム製、ビニール製、含鉛メタクリル樹脂製等が利用されている。
【００３０】
移動可能なＸ線発生装置２はＸ線用高電圧ケーブル２８によりＸ線管３に接続される。高電圧発生装置からＸ線管に高電圧を導くためのものである。ケーブルは診断用で３本または４本の線心のものが使用される。絶縁体層の外側は金属編組で覆い、かつ、これを接地して防電撃とする。外部被覆には、より糸で編組を施したものと、クロロプレンまたはビニルで被覆したシースケーブル等が使用されている。耐電圧、曲げ試験で規定し性能を確保される。種類はクロロプレンやビニル製では耐電圧は５０〜１５０ｋＶ用でいくつかに区分されている。
【００３１】
Ｘ線管はガラス管内を減圧した熱陰極真空管で、陰極に設けられたフィラメントを加熱し、発生した熱電子を高電圧で加速して陽極のターゲットに衝撃させ、Ｘ線を発生させる電子管である。
Ｘ線管装置入力はＸ線負荷前、負荷中、負荷後によりＸ線管装置に印加される平均の電力から求められ、陽極のスタータ、フィラメント、Ｘ線装置に含まれるすべての装置に印加される電力から供給電源を確保すべきである。
【００３２】
Ｘ線管は種類によって定められ定格のものから選択され、Ｘ線管定格としては実効焦点の呼び寸法、最高使用管電圧、長時間最大入力、短時間最大入力といった短時間定格、長時間定格等から目的により適宜選択すべきである。
また、Ｘ線管電圧はＸ線照射中にＸ線管の両極に加えられている電圧で管電圧は波高値で示される。コンデンサ式Ｘ線高電圧装置の場合は、撮影用コンデンサの充電電圧から放電抵抗による電圧降下を差し引いた電圧として求められ、電圧波形は、高電圧変圧器２次側の整流回路により単相半波、全波、三相全波、定電圧型等等がある。
Ｘ線管電流はＸ線照射中にＸ線管を流れる陽極電流で、管電流は平均値で示される。ただし、コンデンサ式Ｘ線高電圧装置で撮影の場合には、波高値で示すこととされている。管電流の調整は、スタビライザを経て加熱変圧器への電流制御により調節する。また、管電圧、管電流特性を関連させた方法が採られる。
【００３３】
この結果、Ｘ線管への入力Ｐ＝ｕ×Ｉ×ｆで与えられる。ここで、Ｐは電力Ｗ、ｕは管電圧ＫＶで波高値、Ｉは管電流ｍＡ、平均値である。ｆは管電圧波形や管電流によって異なる定数である。リプル百分率が１０％以下で１．０、１０〜２５％では０．９５、２５％以上の場合は０．７５とされている。．最大値は焦点、ｋＶ、管電圧波形、陽極回転数などに影響しヒートユニットで表示される。
【００３４】
透明パッド７はＸ線写真撮影台１１上にセットされる。Ｘ線写真撮影台１１は図２、その変形例が図３にそれぞれ例示されている。図２のＸ線写真撮影台１１は全体の厚さで約１２０ｍｍ、長さ約１９００ｍｍ、幅約９００ｍｍとした。透明パッド７は素材としてはポリウレタンを使用した。被験者のＸ線写真撮影時の位置確認から半透明のポリウレタン、その他透明ゴム素材が使用可能であり、弾力性があり被験者への配慮からクッション性のある素材が望ましい。
【００３５】
Ｘ線写真撮影台用台座１０はＸ線写真撮影台１１の台座として使用される。図４は台座上板１２であり、アルミニウム板を使用した。図５で示した台座１０は板材または塩ビその他のプラスチック材を台座下板１３として台座１０の下に配置した。その中間は試作では角材形態とした木製枠１４として形成させた。角材は２０ｍｍないし３０ｍｍ角で、台座全体の周辺部及び幅方向に３本程度補強用に配置した。これらをネジ止めし、その上下に台座上板１２及び台座下板１３はそれぞれネジ止めにより取り付けた。厚さは全体として約３２ｍｍとした。
【００３６】
台座１０はさらにＸ線写真撮影台１１に固定される。Ｘ線写真撮影台１１は台座１０の台座上板１２上に撮影台スペーサ９及び撮影台上蓋８を載せ全体的に台座１０とＸ線写真撮影台１１を一体とした。図２ではＸ線写真撮影台１１の上に被験者を寝かせる透明パッド７をセッとした状態で示したものである。ここで撮影台上蓋８は実質的に透明ないし半透明のアクリル樹脂、透明カーボン等が用いられ、被験者のＸ線写真の透視用には視認のため透明素材が望ましい。ここでは少なくとも被験者体重で実質的に水平度を維持できる透明板素材の使用が望ましい。この場合アクリル樹脂で１０ないし２０ｍｍ厚さ程度、望ましくは１２ｍｍで板素材の水平度の要求を満たすことができた。また、これに加えて板の水平度を維持するための板の周辺部、周辺付近に鋼材、アルミ枠材による補強用枠材を追加使用することを否定するものではない。
【００３７】
また、Ｘ線写真撮影に対するＸ線照射時の特性上Ｘ線吸収が少ない、透視性能、軽量等の理由から前記素材を選定した。透明板素材に対して離間させた板素材からなる台座と、透明板素材と台座の周辺部分にはスペーサを介して離間空間を持たせた。このスペーサ９の全体の高さは７０ｍｍ、幅２００ｍｍ、奥行き１００ｍｍの角材を台座上板１２上に４本垂直に設置した。スペーサ９の上には撮影台上蓋８を取り付けた。台座１０及びＸ線写真撮影台１１全体は試作としては個別に作成されたが、量産時には一体としてやや厚さを薄くさせ製造可能である。この場合には木製枠１４の材質をアルミアングルとした補強部分及び台座下板１３を省略した状態で強度面の確保が可能となる。
【００３８】
また、スペーサ９は台座１０との間でＸ線写真撮影用トレイを台座上板１２上を移動させるに必要な間隔を保持し、かつ、被験者体重を支えるための素材の選定、寸法の決定をした。素材としては各板材や断面□型、コの字型、Ｌ字型のアルミニウムからなるアルミアングルも使用可能である。
【００３９】
図３はスペーサ９をＸ線写真撮影台の強度補強の観点から図の中間位置に設置可能な配置とした。ここでは移動可能なスペーサ９は図の左右位置を移動可能なもの、容易に取り付け取り外し可能なもの等としてスペーサ９を付加したものである。この設置の必要性はＸ線写真撮影用フィルムカセット１を載置したＸ線写真撮影用トレイ１５を被験者の撮影位置により容易に移動可能とするためのものである。トレイ１５は台座上板１２を移動させるには、図８で後述するＸ線写真撮影時に撮影部位にフィルムカセット１の写真撮影面を移動用アームにより位置調整可能としたものでトレイ移動用取っ手１９を台座上板１２内で自由に操作する必要からである。
【００４０】
移動可能手段の一例としてはスペーサ９を掴み図の左右に移動させる手段が好適である。付加機構２５、２６に台座１２を上下に挟んだ移動用ローラー２３、２４をスペーサ９を掴み矢印で示した左移動方向２１又は右移動方向２２に移動させるとこれが回転し移動させるようにしたものである。このほか図示しない、付加機構２５、２６に左右移動用鋼線を張りこれに移動用手段、例えば回転用ハンドルで移動させる方法も可能である。
【００４１】
また、移動自体より取り付け取り外し手段の容易なスペーサ９として撮影用トレイ１５を被験者の撮影位置により邪魔にならない位置に装着させ実施することも可能で、この取り付け取り外し手段手段が構造が簡単であるためコスト面のメリットが予想される。
【００４２】
Ｘ線写真撮影用フィルムカセット１を載置させ台座上板１２を容易に移動させるためにはＸ線写真撮影用トレイ１５に取っ手を装着することが必要である。図６はその一例で約５００ｍｍの正方形のＸ線写真撮影用トレイ１５にＸ線写真撮影用フィルムカセット１を載置する。トレイ１５上での滑り防止としてスポンジ１６を接着して配置した例である。スポンジは素材としてポリウレタン製、ゴム素材で、厚さ約１０ｍｍのものをトレイ１５よりやや小さめのものを使用した。この上にフィルムカセット１を載せＸ線写真撮影を実施した。
【００４３】
図７はトレイ１５の両サイドに取っ手１９を取り付けた状態を示したもので、トレイ本体１７の下面に装着した移動用アームの端部にあたる。同様にトレイ本体１７の下面にはトレイ下面の滑りを良くさせるために摩擦抵抗の小さなスベール（商品名）のような低摩擦部部材１８の装着が望ましい。この例としては４０ｍｍサイズで厚さ０．５ｍｍのテフロン（登録商標）等のフッ素樹脂の片面にポリウレタンスポンジを付加した低摩擦部材１８を両面接着剤でトレイ本体１７の下面に貼着させた。
【００４４】
なお、トレイ本体１７自体の下面を低摩擦処理させることも可能であり量産時の一実施例としては望ましい方法といえよう。なお、Ｘ線写真撮影時の撮影ブレが生ずることがあるが被験者の静止ともに、トレイ１５の静止も必要となることがあり、図示しない静止時のトレイ滑り止めストッパーを使用することが望ましい。
【００４５】
移動用アームの端部では取っ手１９を丁番機能２０とすることでアーム面と平行又は垂直にセット可能とした。アーム面の長さは台座上面１２まの幅に依存し、Ｘ線写真撮影用トレイ１５とアームの長さとの間で、例えば図８のようにややこれら双方の長さ合計が台座の幅より大きめとした。これによりＸ線写真撮影用フィルムカセット１の位置を容易に視認することとトレイ１５を前後左右に簡易移動させることが可能となる。
【００４６】
図９はＸ線写真撮影用トレイ１５移動用アーム２７で、その一例を示したものである。全体としては約８００ｍｍ程度、先端Ｔ字部分の長さは約２００ｍｍ、太さ１５ｍｍの木製角材、プラスチック製が使用可能である。Ｔ字部分は引っかけ用突起としての機能を有しているもので、トレイ１５の凹みに引っかけ容易に移動させられる。このようにトレイ１５と一体とせずに他の移動手段が要点となる。例えば、トレイに付加した突起、軸、嵌合部等とが移動手段と係合されこれにより移動可能な方式を排除する趣旨ではない。また、図９の移動用アーム２７の形態に限定されるものではないことを理解されるべきである。これらによりトレイ１５の少なくとも一部周面に引っかける位置調整可能とした移動用アーム２７によりＸ線写真撮影時に撮影部位に前記フィルムカセット１の写真撮影面を位置調整可能とさせた点がポイントとなる。
【００４７】
ここで使用されるＸ線写真撮影用フィルムはＸ線撮影用に設計されたフィルムで、レギュラーと呼ばれる直接撮影用とオルソと呼ばれる間接撮影用フィルムが使用される。直接撮影用では医療用の増感紙と組み合わせるスクリーンタイプと、工業用のノンスクリーンタイプ等が知られている。感度、コントラストを上げるためには、いずれも両面写真乳剤方法が採用されている。
【００４８】
間接撮影用には蛍光像を撮影するので片面乳剤方法がとられ、感色性はそれぞれの発光スペクトルに対応させ提供されている。また、Ｘ線フィルムの寸法も被験者の患部の大きさにより選択できるよう多数のサイズが提供されている。例えば、ＪＩＳで規定された医用Ｘ線写真フィルムの公称寸法は１３×１８ｃｍ品、１５×３０ｃｍ品、１８×２４ｃｍ品、２４×２４ｃｍ品、２４×３０ｃｍ品、３０×４０ｃｍ品、３５×３５ｃｍ品、３５×４３ｃｍ品が規定されている。なお、当分の間は従来のインチ表示によるキャビネ、八ツ切、六ツ切、四ツ切、大四ツ切サイズのフィルムも販売されている。このようにシートフィルムとしてシート状の１枚撮りのフィルムで提供され直接撮影用Ｘ線フィルム等で用いられている。
【００４９】
次に、本発明のＸ線写真撮影台を使用したＸ線写真の撮影方法について述べると、手術後の患者等の被験者を透明パッド７に寝かせたままＸ線写真撮影室に導かれる。ついで、被験者を寝かせた透明パッド７はＸ線写真撮影台１１上の四方の角を合わせて載置される。被験者のＸ線写真撮影部位とフィルムカセットトレイ１５上のＸ線写真撮影用フィルム内蔵カセット１との鉛直線上の位置合わせは視認しながら実施する。この位置合わせは図８の移動用アーム２９で、又は、図９の移動用アーム２７で実施する。これらは患部位置変更の都度実施する。
この準備後、Ｘ線発生装置の電源を投入しＸ線管から被験者へ所定Ｘ線を照射しＸ線写真撮影を実施した。
【００５０】
診療放射線技師免許を有する本発明者は以下実際のＸ線写真撮影を実施した。例えば、右手指骨のＸ線撮影では、Ｘ線照射量は０．００８ｍＳｖ（ミリシーベルト）で照射時間０．１２秒で行った。得られたＸ線写真フィルムの撮影像は極めて鮮明で写真撮影時のピンボケの発生が認められなかった。特に、この撮影は本発明者自身によるＸ線撮影であったが作業負担は少なく、Ｘ線フィルムカセットの設置位置の移動がし易く実施できた。この操作は被験者自身で行い被験者自体の患部撮影での効果である。実際は通常被験者は診療放射線技師ではないため準備面、操作の習熟度、作業面でよりその効果が大きく発揮されることはいうまでもない。
【００５１】
表１は本発明方法と従来法との間で被験者及び診療放射線技師等双方の負担、撮影に要する時間、撮影精度等の結果等を比較したものである。
【００５２】
【表１】
0003727549.tif 000002
【００５３】
【発明の効果】
表１に示したように、本発明によれば従来技術に比較した格別の効果が見いだされることが確認された。以下に分説する。
（１）被験者  レントゲン検査にあたっての苦痛等の精神的不安及び検査時の苦痛等の負担の少なさ、撮影時に床ずれ等が生ずることがないといった効果が認められる。
（２）診療、診療放射線技師、補助者等の作業負担  これらの者の作業では、Ｘ線フィルムカセットの設置位置の移動し易さ、過大過重量の被験者に対しＸ線フィルムカセットの設置手順の簡単さが効果として認められる。
（３）性能、用途の拡大  写真撮影時のピンボケの発生が少ないことや外科用のＸ線テレビジョン画像表示に見られる画像の位置を変化させるようなポータブルＸ線撮影に適していることが認められる。
【００５４】
さらに、本発明のＸ線写真撮影用フィルムカセットトレイ及びそれを備えたＸ線写真撮影台装置は、特に被験者にとりＸ線撮影のため視認可能な半透明マットに載ったままブッキーテーブルの透明アクリル台上に移されることとなった。これは、従来の患者ベッドからブッキー撮影台への移動、撮影後患者ベッドへの復帰移動といった再三の移動が不必要となり、本発明の撮影台上でＸ線撮影が行われる結果、患者の安静のまま撮影すべき部位とフィルムの位置を決めてＸ線撮影が可能となった。
【００５５】
術後まだ充分体力の回復が少ない、手術部分の切開、縫合の苦痛等が癒えていない段階でもＸ線撮影による従来生じていた患者の苦痛、術後の病変、術部の悪化といった重大な事故から回避できることが可能となった。
敷布団に近い半透明マット上でＸ線写真撮影にあっては、Ｘ線写真撮影前の患部位置の視認及びフィルムカセット位置のこれへの正確な配置を可能とした。
【００５６】
アーム付きカセットトレイの使用は前記位置の配置を移動容易に実施できる。透明アクリル板上に視認可能透明パッドないし半透明ウレタンマットを使用したときには患者を安静のままのＸ線写真撮影位置がより容易に視認できＸ線写真撮影用カセットトレイとの位置合わせが可能となった。
手術後の患者や過大過重量の患者のＸ線写真撮影時には、被験者を持ち上げ背中にカセットトレイを差し入れる必要がなくなり、安静状態のままで、短時間で位置決めＸ線写真撮影ができ、患者負担も激減させることができた。
【００５７】
アーム付きでないカセットトレイにあってもＸ線写真撮影位置の移動が容易に実施できる。
手術後の患者や過大過重量の患者のＸ線写真撮影時にも被験者を持ち上げることなく、患者の撮影すべき部位とフィルムの位置を決めて、患者を安静のままでＸ線撮影が可能となるといった効果が期待される。
【００５８】
【図面の簡単な説明】
【図１】本発明のＸ線写真撮影用フィルムカセットトレイ及びそれを備えたＸ線写真撮影台装置図。
【図２】Ｘ線写真撮影台の一部切欠した断面を示した側面図。
【図３】図２の別の実施例の側面図。
【図４】Ｘ線写真撮影台の台座部分の上板の斜視図。
【図５】台座の内アルミアングル及び台座下板を組み合わせた状態を示した一部切欠の斜視図。
【図６】Ｘ線写真撮影用フィルムカセットトレイの斜視図。
【図７】図６の右側面から見た正面図。
【図８】Ｘ線写真撮影用フィルムカセットトレイをＸ線写真撮影台上を移動可能な状態の説明用斜視図。
【図９】図８のＸ線写真撮影用フィルムカセットトレイの移動用アームの他の変形例についての説明用斜視図。
【符号の説明】
１  Ｘ線写真撮影用フィルムカセット
２  Ｘ線発生装置
３  Ｘ線管
４  被験者
５  固定ベッド
６  固定マット
７  透明パッド
８  撮影台上蓋
９  撮影台スペーサ
１０  Ｘ線写真撮影台用台座
１１  Ｘ線写真撮影台
１２  台座上板
１３  台座下板
１４  木製枠
１５  Ｘ線写真撮影用トレイ
１６  スポンジ
１７  トレイ本体
１８  低摩擦部部材
１９  トレイ移動用取っ手
２０  丁番機能
２３  移動用ローラー
２４  移動用ローラー
２５  付加機構
２６  付加機構
２７  移動用アーム
２８  Ｘ線用高電圧ケーブル
２９  移動用アーム
【図１】
0003727549.tif 000003
【図２】
0003727549.tif 000004
【図３】
0003727549.tif 000005
【図４】
0003727549.tif 000006
【図５】
0003727549.tif 000007
【図６】
0003727549.tif 000008
【図７】
0003727549.tif 000009
【図８】
0003727549.tif 000010
【図９】
0003727549.tif 000011